(57)【要約】【課題】音声処理装置における「状態通知メッセージ」の多量発生回避方法を提供する。【解決手段】交換機側伝送路終端ユニット２２は、移動通信用交換機１との伝送路を終端する。符号化／復号化ユニット２３（０〜Ｎ）は、チャネル対応に音声データを符号化／復号化処理する。基地局側伝送路終端ユニット２４は、無線基地局装置３との伝送路を終端する。監視制御ユニット２１は、音声処理装置に実装されるすべてのユニットの運用状態を定期的に問い合わせ、符号化／復号化ユニット２３（０〜Ｎ）の問い合わせでエラー認識時、移動通信用交換機側伝送路終端ユニット２２又は無線基地局側伝送路終端ユニット２４に異常があるときは移動通信用交換機１への「状態通知メッセージ」の送信を行わない。【選択図】      図１
2004153305.tif 000002
【特許請求の範囲】
【請求項１】
移動通信用交換機と無線基地局装置の間にあって移動体通信用音声データの符号化復号化処理を司る音声処理装置における「状態通知メッセージ」の多量発生回避方法において、前記音声処理装置は前記移動通信用交換機との伝送路を終端する移動通信用交換機側伝送路終端ユニット、音声データを符号化／復号化処理するチャネル対応の複数の符号化／復号化ユニット、及び前記無線基地局装置との伝送路を終端する無線基地局側伝送路終端ユニットを含んで構成され、前記音声処理装置に実装されるすべての前記ユニットの運用状態を定期的に問い合わせ、前記符号化／復号化ユニットの前記問い合わせでエラー認識時、前記移動通信用交換機側伝送路終端ユニット又は前記無線基地局側伝送路終端ユニットに異常があるときは、前記移動通信用交換機への前記「状態通知メッセージ」の送信を行わないことを特徴とする音声処理装置における「状態通知メッセージ」の多量発生回避方法。
【請求項２】
前記音声処理装置は前記符号化／復号化ユニットの前記問い合わせでエラー認識時、前記移動通信用交換機側伝送路終端ユニット又は前記無線基地局側伝送路終端ユニットが正常であるときは、前記移動通信用交換機への前記「状態通知メッセージ」の送信を行うことを特徴とする請求項１記載の音声処理装置における「状態通知メッセージ」の多量発生回避方法。
【請求項３】
前記音声処理装置は前記符号化／復号化ユニットの前記問い合わせで前記エラー以外の要因、たとえば故障や未実装といった運用状態の変化を認識したときは前記移動通信用交換機へ前記「状態通知メッセージ」を送信することを特徴とする請求項１記載の音声処理装置における「状態通知メッセージ」の多量発生回避方法。
【請求項４】
前記音声処理装置は予め送信停止メモエリアを有し、前記符号化／復号化ユニットの前記問い合わせでエラー認識時、前記送信停止メモエリアに停止フラグがたっているときは前記移動通信用交換機への前記「状態通知メッセージ」の送信を行わず他の前記符号化／復号化ユニットの前記問い合わせを行い、前記送信停止メモエリアに前記停止フラグがたっていないときであって前記移動通信用交換機側伝送路終端ユニット又は前記無線基地局側伝送路終端ユニットに異常があるときは、前記送信停止メモエリアに前記停止フラグを立て他の前記符号化／復号化ユニットの前記問い合わせを行うことを特徴とする請求項１記載の音声処理装置における「状態通知メッセージ」の多量発生回避方法。
【請求項５】
移動体通信システムにあって移動体通信用音声データの符号化復号化処理を司る音声処理装置における「状態通知メッセージ」の多量発生回避方式において、前記音声処理装置は前記移動通信用交換機との伝送路を終端する移動通信用交換機側伝送路終端ユニット、音声データを符号化／復号化処理するチャネル対応の複数の符号化／復号化ユニット、及び前記無線基地局装置との伝送路を終端する無線基地局側伝送路終端ユニットと、前記音声処理装置に実装されるすべての前記ユニットの運用状態を定期的に問い合わせ前記符号化／復号化ユニットの前記問い合わせでエラー認識時前記移動通信用交換機側伝送路終端ユニット又は前記無線基地局側伝送路終端ユニットに異常があるときは前記移動通信用交換機への前記「状態通知メッセージ」の送信を行わない監視制御ユニットを含んで構成されることを特徴とする音声処理装置における「状態通知メッセージ」の多量発生回避方式。
【請求項６】
前記監視制御ユニットは前記符号化／復号化ユニットの前記問い合わせでエラー認識時、前記移動通信用交換機側伝送路終端ユニット又は前記無線基地局側伝送路終端ユニットが正常であるときは、前記移動通信用交換機への前記「状態通知メッセージ」の送信を行うことを特徴とする請求項５記載の音声処理装置における「状態通知メッセージ」の多量発生回避方式。
【請求項７】
前記監視制御ユニットは前記符号化／復号化ユニットの前記問い合わせで前記エラー以外の要因、たとえば故障や未実装といった運用状態の変化を認識したときは前記移動通信用交換機へ前記「状態通知メッセージ」を送信することを特徴とする請求項５記載の音声処理装置における「状態通知メッセージ」の多量発生回避方式。
【請求項８】
前記監視制御ユニットは予め送信停止メモエリアを有し、前記符号化／復号化ユニットの前記問い合わせでエラー認識時、前記送信停止メモエリアに停止フラグがたっているときは前記移動通信用交換機への前記「状態通知メッセージ」の送信を行わず他の前記符号化／復号化ユニットの前記問い合わせを行い、前記送信停止メモエリアに前記停止フラグがたっていないときであって前記移動通信用交換機側伝送路終端ユニット又は前記無線基地局側伝送路終端ユニットに異常があるときは、前記送信停止メモエリアに前記停止フラグを立て他の前記符号化／復号化ユニットの前記問い合わせを行うことを特徴とする請求項５記載の音声処理装置における「状態通知メッセージ」の多量発生回避方式。
【発明の詳細な説明】
【０００１】
【発明の属する技術分野】
本発明は移動体通信システムにおいて移動体通信用音声データの符号化復号化処理を司る音声処理装置に関し、特に、音声処理装置が保守の目的で装置内に実装されている各機能ユニットの運用状態が変化したことを検出してこの音声処理装置の上位装置である移動体通信用交換機へ送信する「状態通知メッセージ」が、多量に発生することを回避するための音声処理装置における「状態通知メッセージ」の多量発生回避方法及び音声処理装置における「状態通知メッセージ」の多量発生回避方式に関する。
【０００２】
【従来の技術】
図１は、移動体通信システムの構成図の一実施例を示す図であり、１は移動通信用交換機であり、２は音声処理装置であり、３は無線基地局装置である。この従来の音声処理装置２は、装置内の運用状態を管理する監視制御ユニット２１と、移動通信用交換機１との伝送路を終端する交換機伝送路終端ユニット２２と、無線基地局装置３との伝送路を終端する基地局伝送路終端ユニット２４と、データを符号化／復号化処理する符号化／復号化ユニット２３（０〜Ｎ）とから構成されている。無線基地局装置３は、音声処理装置２内の基地局伝送路終端ユニット２４と対向する伝送路終端ユニット３１と、音声処理装置２内の符号化／復号化ユニット２３（０〜Ｎ）と対向する送受信ユニット３２とから構成されている。
【０００３】
さらに音声処理装置２内の監視制御ユニット２１は図８に示すように、主処理部２１１と、装置内の運用状態を記憶しておく運用状態データ記憶部２１２と、「状態通知メッセージ」を移動通信交換機へ送信する送信処理部２１３と、装置内の各機能ユニットの最新運用状態と運用状態データ記憶部とを比較し運用状態が変化したことを検出する検出手段２１１１と、検出手段から得た情報により各機能ユニットの「状態通知メッセージ」を編集するメッセージ編集手段２１１２とから構成されている。
【０００４】
このような構成を有する従来の音声処理装置２の「状態通知メッセージ」通知方法はつぎのように動作する。監視制御ユニット２１は定期的に各機能ユニットの最新運用状態を取得し、検出手段２１１１により運用状態変化を検出した場合、メッセージ編集手段２１１２で「状態通知メッセージ」を編集後、その「状態通知メッセージ」は送信処理部２１３を介して移動通信用交換機１へ送信される。そして、装置内に複数実装されている符号化／復号化ユニット２３（０〜Ｎ）の運用状態に対し共通に影響を与える事象が発生した場合でも、監視制御ユニット２１が複数の「状態通知メッセージ」を一斉に移動通信用交換機１へ送信していた。
【０００５】
例えば、移動体通信用基地局装置３との間の伝送路に障害等が発生し、その伝送路を終端する基地局伝送路終端ユニット２４の運用状態が異常発生と復旧を繰り返した場合、その伝送路上のタイムスロットの特定ビットを移動体通信用基地局装置３の送受信ユニット３２と音声処理装置２内の符号化／復号化ユニット２３（０〜Ｎ）との同期合わせのために使用しているので、符号化／復号化ユニット２３（０〜Ｎ）は同期外れ（エラー）状態となる。この符号化／復号化ユニット２３（０〜Ｎ）の運用状態の変化を監視制御ユニット２１が検出し、移動通信用交換機へ「状態通知メッセージ」を送信する。符号化／復号化ユニット２３（０〜Ｎ）が多数実装されているのため、各符号化／復号化ユニット２３（０〜Ｎ）の「状態通知メッセージ」が多量に発生する。
【０００６】
この「状態通知メッセージ」の一斉送信は、移動通信用交換機１の輻輳を招き、移動通信用交換機１の処理能力を低下ならしめ、同システムへ多大なる悪影響を及ぼしていた。
【０００７】
このような「状態通知メッセージ」の一斉送信を削減するために、従来は、全く同一のメッセージが連続出力要求された場合は、２回目以降の出力はそのメッセージのメッセージＩＤだけとし、また同じメッセージＩＤでその内容の一部分が違うメッセージが連続する場合には、そのメッセージＩＤと差分とだけを出力するようにしている。（例えば、特許文献１参照。）。
【０００８】
【特許文献１】
特開平１−３０６９１９号公報（要約）
【０００９】
【発明が解決しようとする課題】
このような従来の「状態通知メッセージ」の一斉送信の削減方法は、音声処理装置では、次のような問題点があった。
【００１０】
即ち、音声処理装置においては、上述した符号化／復号化ユニット２３（０〜Ｎ）は同期外れ（エラー）状態となっても、移動体通信用基地局装置３との間の伝送路に障害等の場合は、各符号化／復号化ユニット２３（０〜Ｎ）の「状態通知メッセージ」は編集する必要がないにもかかわらず、一定量のメッセージが発生してしまうという問題があった。
【００１１】
本発明の目的は、交換機側伝送路終端ユニット２２あるいは基地局側伝送路終端ユニット２４が、それぞれ交換機側伝送路および基地局側伝送路の異常を検出した場合は、音声処理装置内の監視制御ユニット２１が、すべての符号化／復号化ユニット２３（０〜Ｎ）の「状態通知メッセージ」の送信を停止するようにし、音声処理装置２が多量の「状態通知メッセージ」送信を回避することを可能にする音声処理装置における「状態通知メッセージ」の多量発生回避方法及び音声処理装置における「状態通知メッセージ」の多量発生回避方式を提供することにある。
【００１２】
【課題を解決するための手段】
本願の第１の発明は、移動通信用交換機と無線基地局装置の間にあって移動体通信用音声データの符号化復号化処理を司る音声処理装置における「状態通知メッセージ」の多量発生回避方法において、前記音声処理装置は前記移動通信用交換機との伝送路を終端する移動通信用交換機側伝送路終端ユニット、音声データを符号化／復号化処理するチャネル対応の複数の符号化／復号化ユニット、及び前記無線基地局装置との伝送路を終端する無線基地局側伝送路終端ユニットを含んで構成され、前記音声処理装置に実装されるすべての前記ユニットの運用状態を定期的に問い合わせ、前記符号化／復号化ユニットの前記問い合わせでエラー認識時、前記移動通信用交換機側伝送路終端ユニット又は前記無線基地局側伝送路終端ユニットに異常があるときは、前記移動通信用交換機への前記「状態通知メッセージ」の送信を行わないことを特徴とする。
【００１３】
本願の第２の発明は、第１の発明の前記音声処理装置は前記符号化／復号化ユニットの前記問い合わせでエラー認識時、前記移動通信用交換機側伝送路終端ユニット又は前記無線基地局側伝送路終端ユニットが正常であるときは、前記移動通信用交換機への前記「状態通知メッセージ」の送信を行うことを特徴とする。
【００１４】
本願の第３の発明は、第１の発明の前記音声処理装置は前記符号化／復号化ユニットの前記問い合わせで前記エラー以外の要因、たとえば故障や未実装といった運用状態の変化を認識したときは前記移動通信用交換機へ前記「状態通知メッセージ」を送信することを特徴とする。
【００１５】
本願の第４の発明は、第１の発明の前記音声処理装置は予め送信停止メモエリアを有し、前記符号化／復号化ユニットの前記問い合わせでエラー認識時、前記送信停止メモエリアに停止フラグがたっているときは前記移動通信用交換機への前記「状態通知メッセージ」の送信を行わず他の前記符号化／復号化ユニットの前記問い合わせを行い、前記送信停止メモエリアに前記停止フラグがたっていないときであって前記移動通信用交換機側伝送路終端ユニット又は前記無線基地局側伝送路終端ユニットに異常があるときは、前記送信停止メモエリアに前記停止フラグを立て他の前記符号化／復号化ユニットの前記問い合わせを行うことを特徴とする。
【００１６】
本願の第５の発明は、移動体通信システムにあって移動体通信用音声データの符号化復号化処理を司る音声処理装置における「状態通知メッセージ」の多量発生回避方式において、前記音声処理装置は前記移動通信用交換機との伝送路を終端する移動通信用交換機側伝送路終端ユニット、音声データを符号化／復号化処理するチャネル対応の複数の符号化／復号化ユニット、及び前記無線基地局装置との伝送路を終端する無線基地局側伝送路終端ユニットと、前記音声処理装置に実装されるすべての前記ユニットの運用状態を定期的に問い合わせ前記符号化／復号化ユニットの前記問い合わせでエラー認識時前記移動通信用交換機側伝送路終端ユニット又は前記無線基地局側伝送路終端ユニットに異常があるときは前記移動通信用交換機への前記「状態通知メッセージ」の送信を行わない監視制御ユニットを含んで構成されることを特徴とする。
【００１７】
本願の第６の発明は、第５の発明の前記監視制御ユニットは前記符号化／復号化ユニットの前記問い合わせでエラー認識時、前記移動通信用交換機側伝送路終端ユニット又は前記無線基地局側伝送路終端ユニットが正常であるときは、前記移動通信用交換機への前記「状態通知メッセージ」の送信を行うことを特徴とする。
【００１８】
本願の第７の発明は、第５の発明の前記監視制御ユニットは前記符号化／復号化ユニットの前記問い合わせで前記エラー以外の要因、たとえば故障や未実装といった運用状態の変化を認識したときは前記移動通信用交換機へ前記「状態通知メッセージ」を送信することを特徴とする。
【００１９】
本願の第８の発明は、第５の発明の前記監視制御ユニットは予め送信停止メモエリアを有し、前記符号化／復号化ユニットの前記問い合わせでエラー認識時、前記送信停止メモエリアに停止フラグがたっているときは前記移動通信用交換機への前記「状態通知メッセージ」の送信を行わず他の前記符号化／復号化ユニットの前記問い合わせを行い、前記送信停止メモエリアに前記停止フラグがたっていないときであって前記移動通信用交換機側伝送路終端ユニット又は前記無線基地局側伝送路終端ユニットに異常があるときは、前記送信停止メモエリアに前記停止フラグを立て他の前記符号化／復号化ユニットの前記問い合わせを行うことを特徴とする。
【００２０】
「作用」
本発明は、移動体通信システムにおいて移動体通信用音声データの符号化復号化処理を司る音声処理装置に関して、音声処理装置が保守の目的で装置内に実装されている各機能ユニットの運用状態（実装、障害、エラー等）が変化したことを検出してこの音声処理装置の上位装置である移動体通信用交換機へ送信する「状態通知メッセージ」が、多量に発生することにより移動体通信用交換機の輻輳を招き、さらにはシステム運用に支障を来すといった状況を回避するための構成を提供するものである。
【００２１】
図２において、送信判定手段２１１３は、「状態通知メッセージ」を送信するか否かを判定する。判定材料としては、図１において、交換機側伝送路終端ユニット２２および基地局側伝送路終端装置２４の運用状態を参照して決定する。理由は、音声データが交換機側伝送路終端ユニット２２および基地局側伝送路終端装置２４を必ず経由するためであり、仮に交換機側伝送路終端ユニット２２あるいは基地局側伝送路終端装置２４に異常があれば、符号化／復号化ユニット２３（０〜Ｎ）はたちまちエラーとなり、符号化／復号化ユニット２３（０〜Ｎ）の状態変化を告げる「状態通知メッセージ」が多量に発生することになる。また、伝送路の障害状況によっては、符号化／復号化ユニット２３（０〜Ｎ）がエラー発生／復旧を繰り返すことになるため、その都度「状態通知メッセージ」が発生することになる。したがって、交換機側伝送路終端ユニット２２あるいは基地局側伝送路終端ユニット２４が、それぞれ交換機側伝送路および基地局側伝送路の異常を検出した場合は、監視制御ユニット２１が、すべての符号化／復号化ユニット２３（０〜Ｎ）の「状態通知メッセージ」の送信を停止する。
【００２２】
このようにして、音声処理装置２が多量の「状態通知メッセージ」送信を回避することを可能にする。
【００２３】
【発明の実施の形態】
次に、本発明の実施の形態について図面を参照して詳細に説明する。
【００２４】
図１は、移動体通信システムの構成図の一実施例を示す図である。
【００２５】
図１を参照すると、移動体通信システムは、移動通信用交換機１と、音声処理装置２と、無線基地局装置３と、交換機側伝送路４と、基地局側伝送路５と、制御線６とから構成され、さらに音声処理装置２は、装置内の運用状態を管理する監視制御ユニット２１と、移動通信用交換機１との伝送路を終端する交換機側伝送路終端ユニット２２と、無線基地局装置３との伝送路を終端する基地局伝送路終端ユニット２４と、データを符号化／復号化処理する符号化／復号化ユニット２３（０〜Ｎ）とから構成されている。無線基地局装置３は、音声処理装置２内の基地局伝送路終端ユニット２４と対向する伝送路終端ユニット３１と、音声処理装置２内の符号化／復号化ユニット２３（０〜Ｎ）と対向する送受信ユニット３２とから構成されている。
【００２６】
下り音声データの流れは、移動通信用交換機１より交換機側伝送路４を介して交換機側伝送路終端ユニット２２へ入力され、交換機側伝送路終端ユニット２２にてＣＨ毎に分割され、各符号化／復号化ユニット２３（０〜Ｎ）で符号化され、基地局側伝送路終端ユニット２４でまとめられ、基地局側伝送路５を介して無線基地局装置３へ出力される。上りの伝送経路は全く逆で、無線基地局装置３より基地局側伝送路５を介して基地局側伝送路終端ユニット２４へ入力され、基地局側伝送路終端ユニット２４にてＣＨ毎に分割され、各符号化／復号化ユニット２３（０〜Ｎ）で復号化され、交換機側伝送路終端ユニット２２でまとめられ、交換機側伝送路４を介して移動通信用交換機１へ出力される。
【００２７】
図２は、本発明の監視制御ユニット２１の一実施例を示すブロック図である。
【００２８】
図２を参照すると、本実施例の監視制御ユニット２１は、プログラム制御により動作する主処理部２１１と、装置内の運用状態データを記憶しておく運用状態データ記憶部２１２と、制御線６を介して「状態通知メッセージ」を移動通信交換機へ送信する送信処理部２１３とから構成されている。主処理部２１１は、装置内の各機能ユニットの最新状態と運用状態データ記憶部２１２とを比較し運用状態が変化したことを検出する検出手段２１１１と、検出手段から得た情報により各機能ユニットの状態通知メッセージを編集するメッセージ編集手段２１１２と、「状態通知メッセージ」の送信が適切かを判定する送信判定手段２１１３とを含む。
【００２９】
これらの手段はそれぞれ概略つぎのように動作する。
【００３０】
検出手段２１１１は、各ユニットの最新運用状態を各ユニットに問い合わせ、運用状態データ記憶部２１２に格納してあるそのユニットの運用状態と比較することにより、そのユニットの運用状態の変化を検出する。変化があった場合は送信判定手段２１１３へ処理が移行する。
【００３１】
編集手段２１１２は、検出手段２１１１で検出されたユニットの運用状態変化の内容で、運用状態データ記憶部２１２の該当ユニットの情報エリアを更新し、移動通信用交換機１へ「状態通知メッセージ」として通知するために規定のメッセージフォーマットへ変換する。
【００３２】
送信判定手段２１１３は、編集手段２１１２へ処理を移すか否かを判定する。先ず該当ユニットが符号化／復号化ユニット２３（０〜Ｎ）のエラーであるかどうかを判定する。該当ユニットが符号化／復号化ユニット２３（０〜Ｎ）であり、かつ交換機側伝送路終端ユニット２２および基地局側伝送路終端ユニット２４に異常があるときは、移動通信用交換機１へ「状態通知メッセージ」の送信をとりやめる。該当ユニットが符号化／復号化ユニット２３（０〜Ｎ）であり、かつ交換機側伝送路終端ユニット２２および基地局側伝送路終端ユニット２４が正常の場合は、移動通信交換機１へ「状態通知メッセージ」を送信する。（この場合は符号化／復号化ユニット２３（０〜Ｎ）がそれぞれ個別のエラーであると考えられる。）
符号化／復号化ユニット２３（０〜Ｎ）のエラー以外の要因、たとえば故障や未実装といった運用状態の変化については判定に及ばず、移動通信用交換機１へ「状態通知メッセージ」を送信する。あくまでも、短時間に発生／復旧が繰り返し発生する可能性のあるエラーについて適応する。
【００３３】
次に、本発明の実施例の動作につい図２及び図３のフローチャートを参照して説明する。
【００３４】
まず、監視制御ユニット２１の主処理部２１１は、音声処理装置２に実装されるすべてのユニットの運用状態を定期的に問い合わせることにより監視している。監視の順番は、符号化／復号化ユニット２３（０〜Ｎ）昇順に実行される。ここでは、符号化／復号化ユニット２３（０）の運用状態の場合についてのみ説明する。符号化／復号化ユニット２３（１〜Ｎ）についても同様である。
【００３５】
検出手段２１１１は、符号化／復号化ユニット２３（０）から最新の運用状態データを取得する。符号化／復号化ユニット２３（０）の最新運用状態データと、運用状態データ記憶部２１２に格納してある符号化／復号化ユニット２３（０）の運用状態データとを比較することにより、符号化／復号化ユニット２３（０）の運用状態の変化を検出する（図３のステップＡ１およびＡ２）。符号化／復号化ユニット２３（０）の運用状態に変化が見られない場合は終了する。さらに、送信判定手段２１１３は、符号化／復号化ユニット２３（０）の運用状態の変化が、エラー情報のみか、あるいは他の運用状態も変化しているのかをチェックする（ステップＡ３）。ここで、符号化／復号化ユニット２３（０）の運用情報がエラー情報以外（たとえば、ＡＬＭなど）で変化した場合や、エラー情報の変化だけでなく他の運用状態（たとえば、ＡＬＭなど）も変化している場合は、編集手段２１１２が、運用状態データ記憶部２１２の符号化／復号化ユニット２３（０）のデータを更新し（ステップＡ５）、「状態通知メッセージ」を送信するためにメッセージの編集を行ない（ステップＡ６）、送信処理部２１３へ「状態通知メッセージ」を出力する（ステップＡ７）。なお、送信判定手段２１１３は、符号化／復号化ユニット２３（０）の運用状態がエラー情報のみ変化している場合は、運用状態データ記憶部２１２を参照して、交換機側伝送路終端ユニット２２あるいは基地局側伝送終端ユニット２４が正常かどうかを判断する（ステップＡ４）。交換機側伝送路終端ユニット２２あるいは基地局側伝送終端ユニット２４が正常でない場合は、符号化／復号化ユニット２３（０）に変化が見られなかったとき同様に「状態通知メッセージ」を送信することなく終了する。
【００３６】
交換機側伝送路４あるいは基地局側伝送路５に異常がある場合は、交換機側伝送路終端ユニット２２あるいは基地局側伝送路終端ユニット２４がエラー発生／復旧を繰り返し、この場合、必ず符号化／復号化ユニット２３（０〜Ｎ）もエラー発生／復旧を繰り返すこととなる。従来であれば、音声処理装置２は、移動通信用交換機１と音声処理装置２との間に運用管理状態の不一致が生じないように符号化／復号化ユニット２３（０〜Ｎ）の「状態通知メッセージ」を移動通信用交換機１へすべて送信しようとするが、送信処理部２１３の処理能力（信号線６の伝送能力）を上回るメッセージ量に達すれば、メッセージをすべて送信することは不可能であり、結果、移動通信用交換機１と音声処理装置２の運用管理状態の不一致は避けられないものであった。よって、移動通信用交換機１のメッセージ輻輳状態を回避することが「状態通知メッセージ」を送信することよりも優先されるべきであると考えられる。したがって、交換機側伝送路４あるいは基地局側伝送路５に異常がある場合は、符号化／復号化ユニット２３（０〜Ｎ）の「状態通知メッセージ」を送信しないことにする。
【００３７】
次に、具体例を用いて本実施例の動作を説明する。
【００３８】
図１において、たとえば、基地局側伝送路５が異常であり、基地局側伝送路終端ユニット２４の運用状態がエラー発生とエラー復旧を繰り返している。同様に、符号化／復号化ユニット２３（０〜Ｎ）もエラー発生とエラー復旧を繰り返している。ここでは、符号化／復号化ユニット２３（０）についてのみ説明する。図４に示すように、運用状態データ記憶部２１２にはユニット２４が［実装，ＡＬＭなし，エラーあり］と格納されている。また、ユニット２３（０）が［実装，ＡＬＭなし，エラーなし］と格納されている。検出手段２１１１が、符号化／復号化ユニット２３（０）の最新の運用状態を［実装，ＡＬＭなし，エラーあり］と検出し、運用状態データ記憶部２１２に格納してあるユニット２３（０）の情報と比較し、運用状態の変化を検出する（ステップＡ１およびＡ２）。次に、検出手段２１１１は、符号化／復号化ユニット２３（０）の運用状態が［実装，ＡＬＭなし，エラーあり］に変化したので、送信判定手段２１１３が、符号化／復号化ユニット２３（０）の運用状態がエラーのみであり、かつ運用状態データ記憶部２１２の基地局側伝送路終端ユニット２４の運用状態が［実装，ＡＬＭなし，エラーあり］であることを参照して、「状態通知メッセージ」は送信しないと判断する。
【００３９】
次に、本発明の他の実施例について図面を参照して詳細に説明する。
【００４０】
図２に示された実施例では、符号化／復号化ユニットの「状態通知メッセージ」の送信停止判定を運用状態データ記憶部２１２を参照していたが、符号化／復号化ユニット２３（０）、２３（１），２３（２），２３（３），・・・，（Ｎ）と監視をしていくうちに交換機伝送路終端ユニット２２あるいは基地局伝送路終端ユニット２４の状態も刻々と変化していく場合があり、状況的に送信停止するべき「状態通知メッセージ」を送信する可能性があった。例えば、符号化／復号化ユニット２３（０）は送信停止したが、符号化／復号化ユニット２３１以降は送信したというケースも想定でき、「状態通知メッセージ」の送信のしかたが不安定であった。そのため、本実施例ではその点を補うことを目的として、交換機伝送路終端ユニット２２あるいは基地局伝送路終端ユニット２４の状態は最新状態も参照し判定することにし、さらに送信停止フラグを設け、符号化／復号化ユニット２３（０〜Ｎ）の単位で送信停止するようにした。
【００４１】
図５を参照すると、本実施例は、監視制御ユニット２１が、図２に示された実施例における監視制御ユニット２１の構成に加え、送信停止メモエリア２１２１を有する点で異なる。
【００４２】
送信停止メモエリア２１２１は、送信判定手段２１１３が、符号化／復号化ユニット２３（０〜Ｎ）のうちいずれかのユニットが「状態通知メッセージ」を送信停止したという情報（送信停止フラグ）と、ユニット番号とをメモしておくエリアである。
【００４３】
次に、本実施例の動作について図面を参照して詳細に説明する。
【００４４】
まず、図６のステップＡ１−Ａ３およびＡ５−Ａ７で示される本実施例における検出手段２１１１、編集手段２１１２および送信判定手段２１１３の動作は、図２に示された実施例の各手段２１１１，２１１２および２１１３の動作と同一のため、説明は省略する。
【００４５】
図２に示された実施例では、交換機伝送路終端ユニット２２あるいは基地局伝送路終端ユニット２４が、エラー発生／復旧を周期的に繰り返している状況下において、符号化／復号化ユニット２３（０〜Ｎ）の監視開始タイミングによっては、「状態通知メッセージ」が送信される場合と、送信されない場合とが存在することになる。つまり、交換機側伝送路終端ユニット２２あるいは基地局側伝送路終端ユニット２４を監視したタイミングにより、たまたま正常と判定した場合、運用状態データ記憶部２１２を「実装、ＡＬＭなし、エラーなし」という情報に更新されるため、その後の符号化／復号化ユニット２３（０〜Ｎ）の監視において、「状態通知メッセージ」の送信を停止することができない。
【００４６】
本実施例では、このような場合、できる限りすべての符号化／復号化ユニット２３（０〜Ｎ）のエラーに関する「状態通知メッセージ」送信を停止する。符号化／復号化ユニット２３（０）の運用状態監視を開始し、送信判定手段２１１３に処理が移行してきた場合、送信停止メモエリア２１２１の内容を参照し、「状態通知メッセージ」の送信停止フラグのＯＮ／ＯＦＦを判定する（ステップＢ１）。送信停止フラグがＯＮ（送信停止）の場合は、符号化／復号化ユニット２３（０）の「状態通知メッセージ」を送信しない。送信停止フラグがＯＦＦ（送信停止解除）の場合は、送信停止メモエリア２１２１の内容を、そのユニット番号と送信停止フラグＯＦＦという情報で更新する（ステップＢ２）。また、ステップＢ１において、送信停止メモエリア２１２１の送信停止フラグがＯＮ中であっても、判定中の符号化／復号化ユニットの番号が、送信停止メモエリア２１２１に格納されているユニット番号と一致した場合は、送信停止メモエリア２１２１の送信停止フラグをＯＦＦへ更新し（ステップＢ２）、ステップＡ４へと進む。なお、送信判定手段２１１３は、符号化／復号化ユニット２３（０）の運用状態がエラー情報のみ変化している場合は、運用状態データ記憶部２１２と最新の運用状態とを参照して、交換機側伝送路終端ユニット２２あるいは基地局側伝送終端ユニット２４が正常かどうかを判断する（ステップＡ４）。符号化／復号化ユニット２３（０）の「状態通知メッセージ」の送信停止を判定した場合、送信停止メモエリア２１２１に、ユニット番号２３（０）と、送信停止フラグＯＮとを書きこむ（ステップＢ３）。
【００４７】
次に、具体例について説明する。たとえば、基地局側伝送路５が異常であり、基地局側伝送路終端ユニット２４の運用状態がエラー発生とエラー復旧を繰り返している。同様に、符号化／復号化ユニット２３（０〜Ｎ）もエラー発生とエラー復旧を繰り返している場合を考える。今、運用状態データ記憶部２１２には、ユニット２４は［実装、ＡＬＭなし、エラーなし］という内容が格納されているが、同ユニットの最新の運用状態は、既に［実装、ＡＬＭなし、エラーあり］へと変化している。符号化／復号化ユニット２３（０）は［実装、ＡＬＭなし、エラーあり］である。符号化／復号化ユニット２３１は［実装、ＡＬＭなし、エラーあり］である。図７に示すように、符号化／復号化ユニット２３（０）の監視をすると、運用状態の変化を検出する（ステップＡ１およびＡ２）。エラーのみと判断される（ステップＡ３）。送信停止メモエリア２１２１は、送信停止フラグがＯＦＦなので、ユニット番号のみ更新する（ステップＢ１およびＢ２）。基地局側伝送路終端ユニット２４の最新運用状態が［実装、ＡＬＭなし、エラーあり］なので、送信停止メモエリア２１２１の送信停止フラグをＯＮへ更新する（ステップＡ４およびＢ３）。続いて符号化／復号化ユニット２３１の監視をすると、運用状態の変化を検出する（ステップＡ１およびＡ２）。エラーのみと判断される（ステップＡ３）。送信停止メモエリア２１２１の送信停止フラグはＯＮなので、「状態通知メッセージ」は送信しない（ステップＢ１）。
【００４８】
本実施例は、交換機側伝送路４あるいは基地局側伝送路５の品質が一時的に劣化し、交換機伝送路終端ユニット２２あるいは基地局伝送路終端ユニット２４が、エラーの発生／復旧を繰り返している間は、符号化／復号化ユニット２３（０〜Ｎ）のエラー発生／復旧の「状態通知メッセージ」を送信停止する効果がある。移動通信用交換機１への「状態通知メッセージ」送信をさらに低減することができる。
【００４９】
【発明の効果】
以上説明したように、本発明は、交換機側伝送路終端ユニット２２あるいは基地局側伝送路終端ユニット２４が、それぞれ交換機側伝送路および基地局側伝送路の異常を検出した場合は、音声処理装置内の監視制御ユニット２１が、すべての符号化／復号化ユニット２３（０〜Ｎ）の「状態通知メッセージ」の送信を停止するようにしたことにより、音声処理装置２が多量の「状態通知メッセージ」送信を抑制することを可能にする効果がある。
【図面の簡単な説明】
【図１】移動体通信システムの構成図の一実施例を示す図である。
【図２】本発明の監視制御ユニット２１の一実施例を示すブロック図である。
【図３】図２の監視制御ユニット２１の一実施例を示す動作フローチャートである。
【図４】図３の動作解説図である。
【図５】本発明の監視制御ユニット２１の他の実施例を示すブロック図である。
【図６】図５の監視制御ユニット２１の一実施例を示す動作フローチャートである。
【図７】図６の動作解説図である。
【図８】従来のの監視制御ユニット２１の一実施例を示すブロック図である。
【符号の説明】
１    移動通信用交換機
２    音声処理装置
３    無線基地局装置
４    交換機側伝送路
５    基地局側伝送路
６    制御線
２１    監視制御ユニット
２２    交換機伝送路終端ユニット
２３（０〜Ｎ）    符号化／復号化ユニット
２４    基地局伝送路終端ユニット
３１    伝送路終端ユニット
３２    送受信ユニット
２１１    主処理部
２１２    運用状態データ記憶部
２１３    送信処理部
２１１１    検出手段
２１１２    メッセージ編集手段
２１１３    送信判定手段
【図１】
2004153305.tif 000003
【図２】
2004153305.tif 000004
【図３】
2004153305.tif 000005
【図４】
2004153305.tif 000006
【図５】
2004153305.tif 000007
【図６】
2004153305.tif 000008
【図７】
2004153305.tif 000009
【図８】
2004153305.tif 000010